(57)【特許請求の範囲】
【請求項１】
額縁状の前枠に装着される遊技盤と前枠の前側に取付けられる上皿カバーと前枠に取付けられる球発射機構及び球取込機構を交換することで球を遊技媒体として使用するパチンコ機やスロットマシンを形成する遊技機において、
前枠の前側下部に設けられたハンドルグリップと、制御装置とを備え、
制御装置は、ハンドルグリップの操作に応じてパチンコ機の球発射機構の球発射ソレノイドが１個の球を発射し球分離機構が次の１個の球を球発射レールに供給するよう制御したり、ハンドルグリップの操作に応じてスロットマシンの球取込機構のスプロケットの駆動により球が前枠の裏側に取込まれるよう制御することを特徴とする遊技機。
【発明の詳細な説明】
【０００１】
【発明の属する技術分野】
本発明は、球を遊技媒体として使用するパチンコ機やスロットマシンのような遊技機であって、遊技機枠体に取付けられる部品の共通化構造に関する。
【０００２】
【従来の技術】
図３は特開２０００−７０４３６号公報で開示された遊技設備を示す。図３において、１０１はパチンコ店に設置される島設備、１０２は島設備１０１に設置されたスロットマシン、１０３はスロットマシン１０２の上皿装置、１０４は上皿装置１０３に遊技操作部として設けられた遊技開始操作部、１０５は上皿装置１０３に遊技操作部として設けられた図柄停止操作部、１０６はスロットマシン１０２のドラムタイプの図柄表示装置、１１１はスロットマシン１０２と隣接するように島設備１０１に併設されたパチンコ機、１１２はパチンコ機１１１の上皿装置、１１３はパチンコ機１１１に遊技操作部として設けられたハンドルグリップ、１１４はパチンコ機１１１の遊技盤、１１５は遊技盤１１４のガイドレールで囲まれた遊技領域、１１６は遊技領域１１５内で遊技盤１１４に取付けられた入賞口装置、１１７は遊技領域１１５内で遊技盤１１４に取付けられたアウト口である。
【０００３】
そして、スロットマシン１０２は、上皿装置１０３に球を入れた状態において、遊技者が図柄停止操作部１０５の何れかを操作すると、図外の定数送球機構が動作し、操作した図柄停止操作部１０５それぞれに割当てられた個数の球が上皿装置１０３からスロットマシン１０２の内部に取込まれる。その後、遊技者が遊技開始操作部１０４を操作すると、図柄表示装置１０７の図柄列が上から下への変動を開始する。それから、遊技者が図柄停止操作部１０５を再び操作すると、操作した図柄停止操作部１０５と対応する図柄列の変動が停止する。全部の図柄列の変動が停止し、停止した図柄の組合せが当りとして設定された図柄の組合せに揃うと、当り遊技として図外の球払出機構が動作して賞球を上皿装置１０３に払出し、上記停止した図柄の組合せが設定された図柄の組合せ以外の場合に外れ遊技として賞球を払出さないというように、遊技媒体としての球を用いる図柄合せの結果により賞球を払出したり払出さなかったりする遊技機である。
【０００４】
又、パチンコ機１１１は、上皿装置１１２に球を入れた状態において、遊技者がハンドルグリップ１１３を操作すると、図外の球発射機構が動作し、上皿装置１１２からの送球を１個ずつ遊技領域１１５に打出し、その打球が入賞口装置１１６に入賞すると、当り遊技として図外の球払出機構が動作して賞球を上皿装置１１３に払出し、上記打球がアウト口１１７に取込まれると外れ遊技として賞球を払出さないというように、遊技媒体としての球の入賞とアウトとの結果により賞球を払出したり払出さなかったりする遊技機である。
【０００５】
【発明が解決しようとする課題】
しかし、前記従来例ではスロットマシン１０２とパチンコ機１１１とを同じ島設備１０１に併設する観点から、遊技機枠体のうちで島設備１０１に固定するための外枠をスロットマシン１０２とパチンコ機１１１とで同じ又は略同じ高さと幅の各寸法に形成する構造であるが、例えば、スロットマシン１０２の機能部品として上皿装置１０３や図柄表示装置１０８等であり、パチンコ機１１１の機能部品として上皿装置１１２やハンドルグリップ１１３或いは遊技盤１１４等というように、スロットマシン１０２とパチンコ機１１１とでは遊技機枠体に取付けられる機能部品の大部分が異なるため、別々に制作しなければならず、コストダウンを図るにも限度がある。
【０００６】
そこで、本発明は、遊技形態の違う異種遊技機間での部品共通化を図ることができる遊技機を提供するものである。
【０００７】
【課題を解決するための手段】
本発明にあっては、額縁状の前枠に装着される遊技盤と前枠の前側に取付けられる上皿カバーと前枠に取付けられる球発射機構及び球取込機構を交換することで球を遊技媒体として使用するパチンコ機やスロットマシンを形成する遊技機において、前枠の前側下部に設けられたハンドルグリップと、制御装置とを備え、制御装置は、ハンドルグリップの操作に応じてパチンコ機の球発射機構の球発射ソレノイドが１個の球を発射し球分離機構が次の１個の球を球発射レールに供給するよう制御したり、ハンドルグリップの操作に応じてスロットマシンの球取込機構のスプロケットの駆動により球が前枠の裏側に取込まれるよう制御する構成としたので、遊技盤、上皿カバー、球発射機構及び球取込機構を交換することにより、球を遊技媒体として使用するパチンコ機やスロットマシンのような遊技形態の違う異種遊技機間において、例えば、前枠に取付けられるリアプレート、上皿取付基体、パネル枠、ハンドルグリップ等の複数の部品を共通に使用することができる。
【０００８】
【発明の実施の形態】
図１及び図２は本発明の一実施形態であって、図１はパチンコ機８６とスロットマシン８７とに共通に使用し得る遊技機枠体１を示し、図２はパチンコ店のような遊技店の島設備８１にパチンコ機８６とスロットマシン８７を併設した正面を示す。
【０００９】
図１を参照し、図２のパチンコ機８６とスロットマシン８７というような異種遊技機間での部品共通化が図れる遊技機枠体１の構造について説明する。共通部品たる遊技機枠体１は額縁状の外枠２と額縁状の前枠３とを互いに上下の枠ヒンジ４で前方横方向に片開き可能に取付ける。前枠３は中央開口周縁に額縁状の支持枠５を固定的に備える。支持枠５には額縁状のパネル枠６及び上皿取付基体（ボックスプレートと呼ばれることもある）７を飾りヒンジ８を介して個別に片開き可能に取付ける。枠ヒンジ４と飾りヒンジ８との回転中心は遊技機枠体１を前側から見て左側というように同一側に配置される。パネル枠６はガラス又は合成樹脂よりなる透視性を有するパネル９をパネル枠６で囲まれた四角形の窓を閉塞するように備える。
【００１０】
前枠３は一側部に前枠３を外枠２にロック・アンロックするための施錠装置１０を備え、前側下部に下皿装置１１及び遊技関連操作部としてのハンドルグリップ１２を備え、裏側に額縁状のリアプレート１３を備える。リアプレート１３は上皿取付基体７と対応する下部に逃孔１４を備え、上皿取付基体７は裏側に突出する球受樋１５と前後に貫通する球導出孔１６とを備える。そして、上皿取付基体７が閉じられて前枠３にロックされることにより、球受樋１５は逃孔１４に挿入される。その状態において、リアプレート１３の裏側に突出した球受樋１５の先端部がリアプレート１３の裏側に取付けられた図外の球払出機構から賞球又は貸球等として払出された球を受取って上皿取付基体７の前側に排出する。
【００１１】
次に、異種遊技機間で個別に専用使用される部品としての遊技盤２０；３０と上皿カバー４０；５０及び球発射機構６０並びに球取込機構７０について説明する。遊技盤２０は図２のパチンコ機８６にのみ使用するものであって、図柄の描かれた意匠盤面のガイドレール２１で囲まれた内側の遊技領域に普通入賞口や図柄始動入賞口或いはチューリップ等の入賞口２２、図柄表示装置２３、変動入賞口２４、アウト口２５、サイドランプ２６、ランプ風車２７、遊技釘２８等の部品を備え、ガイドレール２１周囲の遊技領域外に図外のストップランプや賞球ランプ等の部品を備える。遊技盤３０は図２のスロットマシン８７にのみ使用されるものであって、遊技盤２０と同じ外形や厚さの板状であって、図柄の描かれた意匠盤面に図柄表示装置３１と遊技情報表示部３２とを備える。そして、前枠３及びパネル枠６が開かれた状態において、遊技盤２０又は遊技盤３０が前枠３の前側よりリアプレート１３に取付けられた後、パネル枠６が前枠３に閉じられてロックされると共に、前枠３が閉じられて外枠２にロックされることにより、遊技盤２０の意匠盤面側又は遊技盤３０の意匠盤面側が遊技機枠体１に個別に装着されてパネル９を通して視認可能となる。遊技情報表示部３２は図柄当りライン表示部、球取込数表示部、賭数表示部、当り発生確率表示部等であって、遊技者に伝えるべき遊技状況を発光や文字或いはキャラクタ等の形式で表示する。遊技盤２０の裏側に配置された制御装置やその他の部品又は遊技盤３０の裏側に配置された図柄表示装置３１の裏側や遊技情報表示部３２の裏側及び制御装置並びにその他の部品は、遊技盤２０又は遊技盤３０が前枠３の前側よりリアプレート１３に取付けられる際、リアプレート１３の中央開口部を経由して裏側に突出する。
【００１２】
上皿カバー４０は図２のパチンコ機８６にのみ使用するものであって、球を入れる上方開放状の球貯蔵室を備えており、上皿取付基体７の前側に取付けられることにより遊技機枠体１に上皿装置として成立する。上皿カバー５０は図２のスロットマシン８７にのみ使用するものであって、球を入れる上方開放状の球貯蔵室や前側に遊技関連操作部としての遊技開始操作部４１や図柄停止操作部４２を備えており、上皿取付基体７の前側に取付けられることにより遊技機枠体１に上皿装置として成立する。これらの球貯蔵室には球払出機構から排出された賞球が球受樋１５より払出される。
【００１３】
球発射機構６０は図２のパチンコ機８６にのみ使用するものであって、フロントプレート６１に球発射ソレノイド６２と球分離機構６３と球発射レール６４とファール球取込口部６５及び切欠部６６を備え、フロントプレート６１を上皿取付基体７と対応するリアプレート１３の前側に取付けることにより、切欠部６６で逃孔１４を囲む。そして、上皿カバー４０の組付けられた上皿取付基体７が前枠３にロックされた状態において、球導出孔１６が球発射レール６４と対応し、球貯蔵室に球が入れられると、１個の球が球導出孔１６及び球分離機構６３を経由して球発射レール６４に供給される。そして、遊技者がハンドルグリップ１２を操作すると、その操作量に応じて球発射ソレノイド６２が１個の球を発射する。発射された球がファール球取込口部６５を超えた後に、当該発射動作に同期して球分離機構６３が次の１個の球を球導出孔１６側より球発射レール６４に供給する。
【００１４】
球取込機構７０はフロントプレート７１にモータのような球取込アクチュエータ７２と球取込アクチュエータ７２で作動して球を分離取込するスプロケット７３とスプロケット７３で分離取込みされた球をフロントプレート７１の前側よりリアプレート１３の下部を経由して前枠３の裏側に誘導する球取込ガイド７４と切欠部７５とを備え、フロントプレート７１を上皿取付基体７と対応するリアプレート１３の前側に取付けることにより、切欠部７５で逃孔１４を囲む。そして、上皿カバー５０の組付けられた上皿取付基体７が前枠３にロックされ、球導出孔１６がスプロケット７３の外周面に形成された凹部のうちの１つと対応する。それから、球貯蔵室に球を入れた状態において、遊技球がハンドルグリップ１２を操作すると、球貯蔵室から上皿取付基体７の球導出孔１６を経由した球がスプロケット７３の駆動により取込まれて球取込ガイド７４を経由して前枠３の裏側に取込まれる。
【００１５】
遊技盤２０を遊技機枠体１に格納すると共に上皿カバー４０を上皿取付基体７に装着し更に球発射機構６０をリアプレート１３に取付けることにより図２に示すようにパチンコ機８６を形成することができる一方、遊技盤３０を遊技機枠体１に格納すると共に上皿カバー５０を上皿取付基体７に装着し更に球取込機構７０をリアプレート１３に取付けることにより図２に示すようにスロットマシン８７を形成することができる。即ち、遊技盤２０と遊技盤３０とを互いに代替し、上皿カバー４０と上皿カバー５０とを互いに代替し、球発射機構６０と球取込機構７０とを互いに代替することで、パチンコ機８６とスロットマシン８７との双方において遊技機枠体１を共通に使用することができる。
【００１６】
又、パチンコ機８６とスロットマシン８７とにおいて、ハンドルグリップ１２の操作に起因する球発射機構６０の球発射力を制御装置側で変更する。例えば、パチンコ機８６の場合は球発射ソレノイド６２から発射された球が球発射レール６４からファール球取込口部６５を通過して遊技盤２０のガイドレール２１に誘導されつつ遊技領域内にまで飛ぶように、制御装置に球発射ソレノイド６２の球発射力を制御するように設定する。スロットマシン８７の場合は球取込アクチュエータ７２を回転させたり停止させるように、制御装置に球取込アクチュエータ７２の動作を制御するように設定すれば良い。
【００１７】
図２において、島設備８１は上下方向中間位置の下框８２と下框８２より上方に所定間隔を以って下框８２と平行な上框８３とを備える。下框８２には前方に突出する棚部８４を備える。棚部８４は遊技者がパチンコ機から賞球を抜取る場合のドル箱と呼ばれる球箱や煙草やそれ以外の小物を置くためのものである。上框８３には表示器８５を備える。表示器８５は島設備８１に設置されるパチンコ機８６やスロットマシン８７それぞれの大当りや打止め或いは異常等のような遊技情報を遊技者及び店員等に知らせるためのものである。下框８２と上框８３との間にはパチンコ機８６とスロットマシン８７とが配置される。
【００１８】
パチンコ機８６が島設備８１に取付けられた状態において、上皿取付基体７と上皿カバー４０とで形成された球貯蔵室に遊技球としての球を入れた状態において、遊技者がハンドルグリップ１２を操作すると、球貯蔵室より遊技機枠体１の内部に取込まれた球が１個ずつハンドルグリップ１２の操作量に応じた強さで図１の球発射機構６０より遊技盤２０の遊技領域へと発射される。発射された球が自重落下する過程で遊技盤２０の入賞口２２に入賞すると、入賞口２２に割当てられた個数の賞球としての球が遊技機枠体１の裏側より球貯蔵室に払出される。上記球の入賞した入賞口２２が図柄始動口の場合は賞球の払出に加えて遊技盤２０のセンタ役物としての液晶のような電気的なディスプレイタイプの図柄表示装置２３における図柄可変遊技が開始した後に、図柄表示装置２３における停止図柄が当り図柄として定められた図柄に揃うと、遊技盤２０のアタッカや大入賞口と呼ばれる変動入賞口２４が開口して大当り遊技が始まる。
【００１９】
大当り遊技としては、例えば、開口した変動入賞口２４への１０個の入賞球を計数するか又は変動入賞口２４の開口時間が３０秒経過するまでの間に当該変動入賞口２４の開口のきっかけとなった球とは別の球が変動入賞口２４内のＶゾーンと呼ばれる特定入賞口に入賞しない場合は、変動入賞口２４が閉じたままとなって大当り遊技が継続せずに終わる。逆に、開口した変動入賞口２４への１０個の入賞球を計数するか又は変動入賞口２４の開口時間が３０秒経過するまでの間に当該変動入賞口２４の開口のきっかけとなった球とは別の球が変動入賞口２４内のＶゾーンと呼ばれる特定入賞口に入賞した場合は、１０個の入賞球を計数するか又は３０秒経過したら変動入賞口２４が閉じた後に再び開口するというように次の回の大当り遊技が継続する。この変動入賞口２４の開閉が繰返される継続遊技は１６回を最高として設定されている。この変動入賞口２４への入賞の場合、変動入賞口２４の内部に設けられた特定入賞口や一般入賞口毎に割当てられた個数の賞球としての球が遊技機枠体１の裏側より図１の上皿取付基体７と上皿カバー４０とよりなる球貯蔵室に払出される。
【００２０】
スロットマシン８７が島設備８１に取付けられた状態において、上皿取付基体７と上皿カバー５０とで形成された球貯蔵室に遊技球としての球を入れた状態において、遊技者がハンドルグリップ１２を操作すると、球貯蔵室より遊技の開始に必要な所定数の球が遊技機枠体１の内部に取込まれる。それから、遊技者がレバーのような遊技開始操作部４１を操作すると、図柄ベルトや図柄ドラム等の機械的なディスプレイタイプ又はＣＲＴや液晶等の電気的なディスプレイタイプの図柄表示装置３１による絵合わせ遊技が始まる。即ち、図柄表示装置３１の左右に並列配置された図柄列が上から下へと可変する。その状態において、遊技者が複数の図柄停止操作部４２の何れかを操作すると、操作された図柄停止操作部４２に対応した図柄表示装置３１の図柄列が停止する。そして、図柄表示装置３１の全部の図柄列が停止し、図柄列相互における遊技機枠体１の前側から視認し得る図柄の組合せが当りとして予め設定された図柄の組合せで揃うと、それぞれの当りに応じた賞球が遊技機枠体１の裏側より図１の上皿取付基体７と上皿カバー５０とよりなる球貯蔵室に払出される。
【００２１】
前記パチンコ機８６又はスロットマシン８７の一連の遊技動作は遊技盤２０又は遊技盤３０或いは前枠３等の裏側に実装される図外の制御装置により制御される。係る制御装置は別々のケースに格納されて機能分割構成された各種の制御装置として形成されるか、又は、１つのケースに格納された複合構成された制御装置の何れでも適用可能である。
【００２２】
前記実施形態はパネル枠６と上皿取付基体７とを一緒に開閉し得るように単一化しても適用でき、前枠３にリアプレート１３に代る遊技盤取付機構を設けて遊技盤２０；３０を前枠３に裏側より取付ける構造でも適用でき、上皿カバー４０；５０を上皿取付基体７に取付けることにより球貯蔵室を形成する構造でも適用でき、上皿取付基体７の前側に球貯蔵室を有し、その球貯蔵室の前側を覆うような上皿カバー４０；５０を上皿取付基体７に取付ける構造でも適用できる。
【００２３】
前記実施形態において球取込機構７０を使用せずにパチンコ機８６とスロットマシン８７との双方で球発射機構６０を共用することも可能である。それには、パチンコ機８６とスロットマシン８７とにおいて、球発射機構６０の球発射力を制御装置側で変更するに際し、パチンコ機８６の場合は前記実施形態と同様に球発射ソレノイド６２から発射された球が球発射レール６４からファール球取込口部６５を通過して遊技盤２０のガイドレール２１に誘導されつつ遊技領域内にまで飛ぶように、制御装置に球発射ソレノイド６２の球発射力を制御するように設定する。スロットマシン８７の場合は球発射ソレノイド６２から発射された球が球発射レール６４からファール球取込口部６５に落ちるように、制御装置に球発射ソレノイド６２の球発射力を制御するように設定する。
【００２４】
但し、パチンコ機８６の場合はファール球取込口部６５に入った球を下皿装置１１に排出して遊技者に戻す形態であるため、スロットマシン８７としての球取込みにファール球取込口部６５をパチンコ機８６と同じに使用することは不可能である。そこで、ファール球取込口部６５と下皿装置１１とを結ぶ球通路に通路切換機構を設け、通路切換機構によりパチンコ機８６の場合はファール球取込口部６５に入った球が下皿装置１１に排出されスロットマシン８７の場合は島側に排出されるようにする必要はある。又、スロットマシン８７の場合はファール球取込口部６５に障壁体を取付け、障壁体で球発射ソレノイド６２から発射された球をファール球取込口部６５に誘導すれば、球取込みの確度が上がる。
【００２５】
前記実施形態においてパチンコ機８６で使用したハンドルグリップ１２をスロットマシン８７で球取込操作に使用せずそのまま存在させ、上皿カバー５０に球取込操作部を設けても良い。
【図面の簡単な説明】
【図１】  本発明の実施形態を示す模式図。
【図２】  同実施形態の島設備を示す正面図。
【図３】  従来例を示す正面図。
【符号の説明】
１  遊技機枠体
３  前枠
７  上皿取付基体
２０  遊技盤
３０  遊技盤
４０  上皿カバー
５０  上皿カバー
６０  球発射機構
７０  球取込機構
【図１】
0004606575.tif 000002
【図２】
0004606575.tif 000003
【図３】
0004606575.tif 000004